(57)【要約】      （修正有）【課題】個々の母豚の体重を手軽に測定し、繁殖適性体重か否かの判断が容易に行える手段を提供する。【解決手段】可撓性テープに側腹ヒダ間の長さに対応する体重量を表記した育成豚用体重尺、さらに繁殖適正体重に対応する長さ範囲を識別表示することにより、測定者が被測定母豚が繁殖適正体重であるか否かが簡単に判別できるようにした育成豚用体重尺。【選択図】図３
0003136597.tif 000002
【実用新案登録請求の範囲】
【請求項１】
可撓性で且つ伸縮しないテープに、雌豚の側腹ヒダ間の長さ（F  to  F）に対応する体重量を表記した育成豚用体重尺。
【請求項２】
繁殖適正体重に対応する長さ範囲を識別表示したことを特徴とする請求項１記載の育成豚用体重尺。
【考案の詳細な説明】
【技術分野】
【０００１】
本考案は、育成豚の体重を現場で容易に測定するのに使用する育成豚用体重尺に関する。
【背景技術】
【０００２】
母豚の繁殖成績を向上させることは、農場成績を高める上で必要不可欠であり、そのため、母豚は、適正なボディコンディションを維持し、過肥にしないことが求められる。
【０００３】
そのためには、母豚のP2背脂肪厚と体重管理を指標とした飼育管理の重要性が指摘されているが、母豚の体重は、初回種付け時でも150kg前後となり、ストールから出し入れするだけでも相当の労力と時間を要することになり、通常の飼育管理の中で生産者が体重計により、母豚の体重を測定するのは至難の業であった。 
【０００４】
このような問題を解決するため、給餌器と体重計とを組み合わせ、人手をかけずに家畜の体重を測定する装置が提案されている（特許文献１）。この装置は、荷重センサの上に対象動物に応じた大きさの計測台を載置し、３方に垂直のフェンスを配設し、前方のフェンス近傍に給餌器または給水器を配置した構成を採用したものである。
この装置によれば、フェンスで囲むことにより計測台には１頭ずつしか出入できず、しかも、動物が餌や水を求めて集まり目的を達成した個体はその場から離散するといった習性を利用するので、餌または水を摂取するために計測台に進入した個体の体重を、人手を掛けずに自動的に測定することができる。さらに、荷重センサの電気信号から、個々の体重と頭数を個別に計測し記録すると共に、これらのデータを処理することにより肥育状態の把握および出荷予測など、幅広いニーズに手軽に活用することが可能となった。
【０００５】
しかしながら、母豚の繁殖成績の向上などを目的とする体重測定では、個々の母豚の体重管理が重要であるが、この装置では、計測台に進入する動物はランダムであり、特定の個体の体重を測定し管理することは難しかった。
【０００６】
特定個体の体重を簡便に測定する方法として、体のある部分の長さを測定し、体重との相関関係を調査する研究がなされてきた。その結果、胸囲と体重とには正の有意な相関が認められることが判明し、牛などの測定に利用されている。
【０００７】
しかしながら、豚は牛より小型とはいえ成豚の体重は150kg以上となり、しかも通常ストール内で飼育管理されるので、このような状態で母豚の胸囲を測定するのは、測定者がストールの壁面との間に体を挟まれたり、足を踏まれるなど怪我をする恐れがあるため、この方法も数多くの頭数を測定する場合は適切とはいえなかった。
【特許文献１】特開２００３−１１４１４５号公報
【考案の開示】
【考案が解決しようとする課題】
【０００８】
本考案は、個々の母豚の体重を手軽に測定し、繁殖適性体重か否かの判断が容易に行える手段を提供することを課題とする。
【課題を解決するための手段】
【０００９】
本考案者らは、上記の従来技術の問題点に鑑み、測定し易さを考慮に入れた上での体の各部位と体重推定の正確性を検討した結果、図１に示されるように側腹ヒダ間の長さ（Flank  to  Flank：以下「F  to  F」という）と体重との相関が極めて強いことを発見し、本考案に至った。
側腹ヒダとは、図４ａのＡで示される部分をいう。F  to  Fは、図４ｂに示される側腹ヒダと後足の太股との付け根（くびれた部分）Ｂにスケールの基点を当て、反対側の同じ部分までの距離を測定したものである。
図１の実験は、種々の月齢の雌豚343頭について、F  to  Fとその体重を測定した結果で、実線は平均値を表す。指数近似を用いた回帰線では、R２＝0.9679と極めて高い相関係数が得られた。
【００１０】
すなわち、本考案は、上記のような相関関係を利用し、可撓性テープにF  to  Fの長さに対応する体重量を表記した育成豚用体重尺である。
【００１１】
また、本考案は、繁殖適正体重に対応する長さ範囲を識別表示することにより、測定者が、被測定母豚が繁殖適正体重であるか否かが簡単に判別できるようにした育成豚用体重尺である。
【考案の効果】
【００１２】
本考案の育成豚用体重尺を使用する方法によれば、従来のように胸囲の一周分を測定する必要が無く、側腹ヒダ間（胴回りの一部）を測定するため、一人の測定者がテープを親指と人差し指でつまんで測定することができ、さらに、母豚の背後から容易に測定できるので、狭いストールに入ることなく安全に測定できる。
さらに、簡単な操作で精度良く母豚の体重を測定できるので、母豚の理想とされる体重時に種付けが実施でき、母豚の生涯繁殖成績改善に寄与できる。
【考案を実施するための最良の形態】
【００１３】
本考案の育成豚用体重尺に使用されるテープは、スケールとして使用される可撓性であるが伸縮しないものを使用する。材質は問わないが、合成樹脂、天然繊維、天然皮革、金属などが使用できる。
【００１４】
本考案のテープの長さは、１．０〜２．０ｍ程度が適切である。１．０ｍ未満では、母豚の体重測定の目的が達せられず、２ｍ以上では取扱にくくなる。また、テープの材質にも拠るが、その厚みは０．８〜３．０ｍｍ程度、幅は１０〜５０ｍｍ程度が好ましい。
【００１５】
本考案の育成豚用体重尺に使用されるテープには、図１で示される測定結果の平均値を示すラインから求められる、F  to  Fの長さに対応する体重量を表記する。体重量の表記は、本考案の目的から5kg程度の間隔で表記する必要があり、目盛の範囲内の体重を数字で表記すればよい。
【００１６】
また、母豚の繁殖適性体重に相当する長さ範囲を識別表示しておくと、測定者が直ちに母豚の繁殖適正を判断することができるので好ましい。識別表示の方法の一例としては、図２に示すように、テープの繁殖適性体重に相当する長さ範囲の部分を色分けすることが挙げられる。
【００１７】
本考案の育成豚用体重尺の使用に当たっては、測定者が体重尺の基点を母豚の側腹ヒダ部に当て指で保持する必要があることから、基点側には15〜25ｃｍの予備部を設けておくことが好ましい。
【００１８】
また、測定者が体重尺の基点を母豚の側腹ヒダ部に当て指で保持する代わりに、体重尺の基点に、母豚の側腹ヒダを挟むクランプや該ヒダに装着されるフックを取り付けても良い。この場合、側腹ヒダに接するクランプやフック部は、クッションを設けるなどして、母豚に与える刺激を極力小さくする必要がある。
【００１９】
さらに、巻尺のように普段はケース内に巻き取るようにしておくこともできる。
【００２０】
次に、本考案の育成豚用体重尺の使用方法を図面で説明する。図２において、１は本考案の育成豚用体重尺、２は基点、３は予備部、４は繁殖適性体重に相当する長さ範囲を示す表示である。図３ａにおいて、測定者はストール内の母豚の背後から片方の母豚の側腹ヒダ部に体重尺の基点を当て予備部を折り返して指で保持し、図３ｂのように母豚の背面に沿って他方の側腹ヒダ部までテープを這わせ、側腹ヒダ部間の長さを測定する。テープには、F  to  Fの長さに対応する体重量を表記されているので、他方の側腹ヒダ部までの長さに相当する位置の数値を読み取ることにより、母豚の体重を精度良く推定することができる。
【００２１】
さらに、繁殖適性体重に相当する長さ範囲の部分を色分けしておけば、当該母豚の体重が繁殖適正体重の範囲であるか否かが簡単に判断することができる。
【産業上の利用可能性】
【００２２】
本考案の育成豚用体重尺を使用すれば、大掛かりな体重測定装置を必要とせず、誰でも簡単かつ迅速に母豚の体重を測定することができるので、農場での有用性が高い。
【図面の簡単な説明】
【００２３】
【図１】雌豚のF  to  F長さと体重の測定結果を示すグラフ。
【図２】本考案の育成豚用体重尺
【図３】本考案の育成豚用体重尺を使用して母豚のF  to  F長さを測定する方法の説明図
【図４】雌豚の側腹ヒダ部を示す図
【符号の説明】
【００２４】
１  本考案の育成豚用体重尺、
２  基点、
３  予備部、
４  繁殖適性体重に相当する長さ範囲を示す表示
【図１】
0003136597.tif 000003
【図３】
0003136597.tif 000004
【図４】
0003136597.tif 000005
【図２】
0003136597.tif 000006